(57)【要約】【課題】入力信号の監視・測定と入力系統切替に必要な装置を既存のＣＡＴＶ局受信設備の架台と一体に装架して作業能率を向上したＣＡＴＶ局受信設備における高周波入力系統切替装置を提供する。【解決手段】入力系統切替回路６は、常時は主高周波入力系統１から入力する高周波受信信号を送出端７からＣＡＴＶ局受信設備の後段の信号処理装置に送出し、主高周波入力系統１から入力する高周波受信信号に高周波レベルの低下、前記変調エラー比や前記ビットエラー率の劣化があった場合には副高周波入力系統１１から入力する高周波受信信号を送出端７から信号処理装置に送出する。【選択図】図１
2011155328.tif 000002
【特許請求の範囲】
【請求項１】
常用の主高周波入力系統とバックアップとして備える副高周波入力系統および信号処理装置とを備え、前記主高周波入力系統の受信信号の状態が設定以下となったことを検知して前記高周波副入力系統の受信信号を前記信号処理装置に送出するＣＡＴＶ局受信設備システムにおける高周波入力系統切替装置であって、
入力する前記主高周波入力系統の信号を側路する分岐器と、
前記分岐器で側路した前記高周波主入力系統の信号の高周波レベルと、変調エラー比と、ビットエラー率をそれぞれ測定する入力信号測定回路と、
前記主高周波入力系統に替えて前記副高周波入力系統の受信信号を前記信号処理装置に送出する切替回路と、
前記入力信号測定回路からの前記高周波レベル、前記変調エラー比、前記ビットエラー率の各測定値に監視閾値を設定する閾値設定部と、前記切替回路に前記主高周波入力系統の受信信号と前記副高周波入力系統の受信信号の切替信号を出力する切替信号生成部と、前記閾値設定部に設定された前記各監視閾値と前記各測定値との比較出力の何れか又は２以上に基づいて前記切替信号生成部から発生する前記切替信号を前記切替回路に出力させる制御部からなる制御回路を備えたことを特徴とする高周波入力系統切替装置。
【請求項２】
請求項１において、
前記制御回路に、前記ＣＡＴＶ局受信設備のシステム稼動情報や監視情報を可視表示するモニターを備えたことを特徴とする高周波入力系統切替装置。
【請求項３】
請求項１において、
前記閾値設定部に前記閾値を設定する閾値入力部と、外部入力手段接続端子を備え、前記外部入力手段接続端子に接続した外部入力手段により前記閾値設定部に前記閾値を設定することを特徴とする高周波入力系統切替装置。
【請求項４】
請求項１において、
前記制御回路に、前記切替信号生成部が発生した前記切替信号を前記切替回路に対して自動的に送出するか、オペレータの手動操作で送出するかを選択設定する自動/手動切替スイッチを備えたことを特徴とする高周波入力系統切替装置。
【請求項５】
請求項１において、
前記主高周波入力系統と前記副高周波入力系統は、共に受信アンテナに接続する高周波入力系統であることを特徴とする高周波入力系統切替装置。
【発明の詳細な説明】
【技術分野】
【０００１】
本発明は、入力系統切替装置に係り、特に地上デジタルＴＶ放送などのＣＡＴＶ局受信設備における高周波入力系統切替装置に関する。
【背景技術】
【０００２】
地上デジタルＴＶ放送などの受信システムにおけるＣＡＴＶ局受信設備では、主/副の受信系統（高周波入力系統）を備えて、主受信系統に不具合が生じた場合には予備受信系統である副受信系統に切り替えて信号処理装置に送出している。通常、ヘッドエンドとも称するこの種のＣＡＴＶ局受信設備ではさらに、複数のチャネルを受信し、受信しているチャネル系統に高周波受信レベル（キャリアレベル、以下単にＲＦレベルとも称する）の低下などが発生した場合には他のチャネル系統に切り替えるようにも構成されている。
【０００３】
アナログＴＶ放送のＣＡＴＶ局受信設備の場合には、運用している主受信系統あるいは受信チャネルの受信信号レベル（ＲＦレベル）を監視し、そのレベルが設定値（予め設定した閾値：監視閾値）以下となったことを検出したときには副受信系統あるいは他の受信チャネル系統に切り替えている。しかし、地上デジタルＴＶ放送の実用化など、放送のデジタル化に伴い、受信品質の判断はＲＦレベルの監視に加えて、変調エラー比（Modulation Error Rate:ＭＥＲ）やビットエラー率（Bit Error Rate：ＢＥＲ）の監視が必要になっている。入力系統の切り替えは、これらＲＦレベル、ＭＥＲ、ＢＥＲの少なくとも３つのパラメータの監視に基づいて行われている。
【０００４】
なお、この種のＣＡＴＶ局受信設備は、その受信信号の処理系統を構成する要素部分（ＲＦ信号処理部、周波数変替部、デコーダ部、・・、電源部）毎にユニット化され、架台に装架して一体の設備とするのが一般的である。
【０００５】
この種の技術分野に関連した従来技術を開示したものとしては、本発明が対象とするＣＡＴＶ受信局設備ではないが、ＴＶ中継局設備における受信信号監視にかかる特許文献１を挙げることができる。特許文献１では、ヘッドエンドが、パソコンと、ＢＳデジタル放送信号を受信するアンテナからの受信信号を受けて、パソコンにより指定されたチャンネルの放送データを抽出し、そのデータをＣＡＴＶ用放送信号に変替して幹線へ出力する複数の選局変換装置と、選局変換装置の何れかが異常の場合にそれに代えて動作させられる故障時バックアップ用の予備装置（予備の選局変換装置）とを備える。そしてパソコンは、予備装置を故障時バックアップ用として動作させていない場合には、その予備装置を、ＢＳデジタル放送における臨時サービスの番組やマルチビューテレビのサブ番組といった追加番組をＣＡＴＶで放送するために動作させるようにしている。
【先行技術文献】
【特許文献】
【０００６】
【特許文献１】特開２００１−３５９０６３号公報
【発明の開示】
【発明が解決しようとする課題】
【０００７】
受信信号の高周波信号レベル（ＲＦレベル）、ＭＥＲ、ＢＥＲを監視し、その何れか、又は全てが所定の設定値から外れた時に現用（主）入力系統から予備（副）入力系統に切り替るために、現用のＣＡＴＶ局受信設備では、当該ＣＡＴＶ局受信設備を構成する装置とは別個に上記の測定装置および受信設備を制御する制御装置（パソコン等）からなる監視装置を用意しておき、定期的に、あるいは随時にオペレータが上記測定装置と制御装置をＣＡＴＶ局受信設備に接続して入力系統の信号について上記のＲＦレベル、ＭＥＲ、ＢＥＲを測定し、その測定結果が所定値（監視閾値）を下回ったときには、上記制御装置からＣＡＴＶ局受信設備を制御して受信アンテナ系統などの高周波入カ系統を切り替えている。
【０００８】
しかし、受信信号の高周波信号レベル、ＭＥＲ、ＢＥＲの測定装置とパソコンなどの制御装置をＣＡＴＶ局受信設備とは別に用意しての監視・切替制御の作業方式では、実作業時の取り扱いが煩雑で、作業能率の向上という観点では必ずしも適した方式とはいえない。本発明の目的は、入力信号の監視・測定と入力系統切替に必要な装置を既存のＣＡＴＶ局受信設備の架台と一体に装架して作業能率を向上したＣＡＴＶ局受信設備における高周波入力系統切替装置を提供することにある。
【課題を解決するための手段】
【０００９】
上記の目的を達成するため、本発明は、常用の主高周波入力系統とバックアップとして備える副高周波入力系統および信号処理装置とを備え、前記主高周波入力系統の受信信号の状態が設定値以下となったことを検知して前記高周波副入力系統の受信信号を前記信号処理装置に送出するＣＡＴＶ局受信設備のシステムにおける高周波入力系統切替装置において、前記主高周波入力系統の切替のための受信信号の状態監視対象として、高周波レベルと変調エラー比およびビットエラー率の何れか又は２以上とし、次のような構成を備えた。
【００１０】
すなわち、
入力する前記主高周波入力系統の信号を側路する分岐器と、
前記分岐器で側路した前記高周波主入力系統の信号の高周波レベルと、変調エラー比と、ビットエラー率をそれぞれ測定する入力信号測定回路と、
前記主高周波入力系統に変えて前記副高周波入力系統の受信信号を前記入力信号処理装置に送出する切替回路と、
前記入力信号測定回路からの前記高周波レベル、前記変調エラー比、前記ビットエラー率の各測定値に監視閾値を設定する閾値設定部と、
前記切替回路に前記主高周波入力系統の受信信号と前記副高周波入力系統の受信信号の切替信号を送出する切替信号生成部と、
前記閾値設定部に設定された前記監視閾値と前記各測定値との比較出力の何れか又は２以上に基づいて前記切替信号生成部から発生する前記切替信号を前記切替回路に出力させる制御部からなる制御回路を備えたことを特徴とする。
【００１１】
また、本発明は、前記制御回路に、前記ＣＡＴＶ局受信設備システムの稼動情報や監視情報を可視表示するモニターを備えたことを特徴とする。
【００１２】
また、本発明は、前記閾値設定部に前記閾値を設定する閾値入力部と、外部入力手段接続端子を備え、外部入力手段接続端子に接続した外部入力手段により前記閾値設定部に前記閾値を設定することを特徴とする。
【００１３】
また、本発明は、前記制御回路に、前記切替信号生成部から発生した前記切替信号を前記切替回路に対して自動的に送出するか、オペレータの操作で送出するかを選択設定する自動/手動切替スイッチを備えたことを特徴とする。
【００１４】
また、本発明は、前記主高周波入力系統と前記副高周波入力系統は、共に受信アンテナに接続する高周波入力系統であることを特徴とする。
【００１５】
なお、本発明は、上記の構成および後述の実施例に限定されるものではなく、本発明の技術思層を逸脱することなく、種々の変更が可能である。
【発明の効果】
【００１６】
入力系統の受信信号の監視と系統切替機能をＣＡＴＶ局受信設備と一体とし、切替のための監視閾値を予め設定として当該系統を自動又は手動切替を可能としたことで、効率が良く、かつ簡易な操作で良好な品質維持を実現したＣＡＴＶ局受信設備を提供できる。
【図面の簡単な説明】
【００１７】
【図１】本発明の実施例１を説明する高周波入力系統切替装置の説明図である。
【図２】本発明の実施例１の系統切替え処理の手順を説明する流れ図である。
【図３】図１に示したモニター画面の一例を説明する図である。
【図４】ＣＡＴＶ局受信設備の架台に装架する形状とした本発明の高周波入力系統切替装置の外観を説明する上面斜視図である。
【図５】図４の前面パネルを正面から見た図である。
【図６】図４の背面パネルを正面から見た図である。
【発明を実施するための形態】
【００１８】
以下、本発明を図面を参照した実施例により詳細に説明する。
【実施例１】
【００１９】
図１は、本発明の実施例１を説明する高周波入力系統切替装置の説明図で、同図（a）は回路構成図、（b）は電源部の回路構成図である。図１の（a）において、本実施例では、常用される主高周波入力系統１０と予備として備える副高周波入力系統１１を備えている。主高周波入力端子３に主受信アンテナ１が接続され、副高周波入力端子４に副受信アンテナ２が接続されている。主高周波入力系統１は入力系統切替回路６に入力している。同様に、副高周波入力系統１１は入力系統切替回路６に入力している。送出端７は、切り替えた高周波受信信号をＣＡＴＶ局受信設備の信号処理装置に送出する端子である。なお、抵抗８、９は、それぞれ選択されていない系統に接続する終端抵抗である。
【００２０】
入力系統切替回路６は、常時は主高周波入力系統１から入力する高周波受信信号を送出端７からＣＡＴＶ局受信設備の後段の信号処理装置に送出し、主高周波入力系統１から入力する高周波受信信号に高周波レベルの低下、前記変調エラー比や前記ビットエラー率の劣化があった場合には副高周波入力系統１１から入力する高周波受信信号を送出端７から信号処理装置に送出する。
【００２１】
主高周波入力系統１０の前記入力系統切替回路６の入力端の前段路には分岐器５が挿入されている。分岐器５で分岐された主系統の高周波受信信号は分岐路１２を通して入力信号測定回路１３に入力する。入力信号測定回路１３は、高周波受信信号の高周波レベル（ＲＦレベル）測定部１３１、変調エラー比測定部１３２、ビットエラー率測定部１３３を備えている。
【００２２】
また、この高周波入力系統切替装置は制御回路１４を備えている。制御回路１４は、閾値設定部１４１、切替信号生成部１４２、外部入カデバイスから入カする閾値を閾値設定部１４１に転送する閾値入力部１３３を備えると共に、入力信号測定回路１３を含む高周波入力系統切替装置の動作を制御する制御部１４４を備えている。図示しないが、制御部１４４は後述するＲＦレベル、変調エラー比測、ビットエラー率の監視・測定の手順を制御するプログラム、高周波入力系統切替装置の動作制御プログラムを格納するメモリやこれらのプログラムを実行する演算装置などのデータ処理機能を備えている。
【００２３】
また、制御回路１４には、キーボードやポインティングデバイス等の外部操作入力デバイスを接続するＵＳＢコネクタ等の端子１５、自動/手動切替スイッチ１６、カラーディスプレイを好適とするモニターの接続端子１７、ＬＡＮコネクタ１８などが設けられている。自動/手動切替スイッチ１６は、当該制御回路１４が上記入力系統切替回路６に対する切替信号を自動で出力するか、あるいはモニターに示される監視・測定情報に従ってオペレータの手動操作で出力するかを選択設定するものである。なお、符号２０は電源スイッチを示す。
【００２４】
図１（ｂ）に示したように、本発明では、電源部として商用電源またはそれに準じた交流電源を用いており、主電源スイッチ２１、ヒューズ２２、直流電圧生成部２３からなり、出力端子２４から図１の（a）に示す回路に所要の電力を供給する。なお、僻地での運用のため、使用電源は商用電源に限るものではなく、太陽エネルギーや風力、その他の自然エネルギーを用いて発電した直流電源とすることができる。
【００２５】
図２は、本発明の実施例１を説明する高周波入力系統切替装置における高周波レベル（ＲＦレベル）、変調エラー比（ＭＥＲ）、ビットエラー率（ＢＥＲ）の監視手順を説明する流れ図である。この処理は制御装置１４のメモリに格納した系統監視プログラム（以下、単に監視プログラム）で実行される。制御回路１４にあるこの監視プログラムは、所定の設定された時点、あるいは端子１５に接続された入力デバイスからオペレータの開始コマンドの入力に応じて起動する。
【００２６】
監視プログラムが起動すると、先ず、入力信号測定回路１３のＲＦレベル測定部１３１がＲＦレベルの測定を開始する（ステップ７、以下Ｓ−７のように表記する）。これと同時に、制御装置１４に設けた自動/手動切替スイッチ１６が自動側にあるか、手動側にあるかを判断する（Ｓ−１）。自動/手動切替スイッチ１６が自動側にあるときにはＭＥＲとＢＥＲの測定開始に必要な条件設定を確認し（Ｓ−２）、条件（ＲＦ信号の有無、監視閾値の設定の有無、等）が揃っていれば測定を開始する（Ｓ−３）。ＭＥＲとＢＥＲの測定結果はモニターに表示される（Ｓ−４）。この表示には、ＲＦレベルの測定結果も表示される。
【００２７】
制御回路１４では、ＲＦレベル、ＭＥＲ、ＢＥＲの測定結果について閾値設定部１４１に設定されている閾値との比較が行われる。この比較で、ＲＦレベル、ＭＥＲ、ＢＥＲの何れかまたはその２以上の測定結果が当該閾値以下となった場合には（Ｓ−５）、切替信号生成部１４２から切替信号（系統切替コマンド）が発行され、入力系統切替回路６に入力する。入力系統切替回路６は、この系統切替コマンドに従って入カ系統を主高周波入力系統１０から副高周波入力系統１１に切替え（Ｓ−６）、その受信信号を送出端７に送出する。この切替後も監視は継続され、測定結果が閾値以上になれば（Ｓ−１０）、副高周波入力系統１１から元の主高周波入力系統１０に切替る（Ｓ−１１）。
【００２８】
通常は、この動作を繰り返すことで監視が継続して実行されるが、システムのメンテナンス時などに、オペレータの操作等で監視プログラム停止コマンドが発行されると（Ｓ−１２）、この監視プログラムは終了する。
【００２９】
通常、自動モードの場合には、測定条件が正常に設定されており、（Ｓ−２）において「ＹＥＳ」が出るが、何らかの理由で測定条件の設定にエラーがあった場合あるいは入力信号測定回路１３にＲＦ信号が正常に取り込まれていない場合には（「ＮＯ」）、その旨がモニターに表示され、ＬＡＮコネクタ１８に接続したＬＡＮ経由で監視センターに通知される。あるいは、当該ＣＡＴＶ局受信設備に設けてある警報等でオペレータに通知される。それに従って、オペレータはＬＡＮ経由で監視センターから、あるいはコネクタ１５にキーボード等の入カデバイスを接続して、測定条件を再設定する（Ｓ−９）。入力信号測定回路１３は再設定された測定条件に従ってＭＥＲ、ＢＥＲの測定を実行し、（Ｓ−４）、（Ｓ−５）に行く。
【００３０】
自動/手動切替スイッチ１６が手動側にある手動モードの場合、主系統/副系統切替ボタンが有効となり、オペレータによる随時の測定条件設定との比較による測定結果が設定した閾値以下であることがモニターに表示されたときには、自動/手動切替スイッチ１６に設けた手動スイッチで系統の切替えを行う。（Ｓ−１０）以降の処理は上記した自動モードの場合と同様である。
【００３１】
測定結果と監視閾値との比較結果に従う主系統と副系統を切り替えるための切替条件（測定値が閾値を下回ることが測定された場合の系統切替条件）は、次の４つから選択することができる。すなわち、
（１）ＲＦレベル、ＭＥＲ、ＢＥＲが全て閾値未満
（２）ＲＦレベル、ＭＥＲが閾値未満（ＢＥＲは正常値）
（３）ＲＦレベル、ＢＥＲが閾値未満（ＭＥＲは正常値）
（４）ＲＦレベルが閾値未満（ＭＥＲ、ＢＥＲは正常値）
（５）ＭＥＲが閾値未満（ＲＦレベル、ＢＥＲは正常値）
（６）ＢＥＲが閾値未満（ＲＦレベル、ＭＥＲは正常値）
上記（１）（２）（３）（４）（５）（６）は、配信信号の品質に関する配信サービスの評価に従って決めればよい。
【００３２】
本実施例により、監視効率が良く、かつ簡易な操作で良好な品質維持を実現したＣＡＴＶ局受信設備を提供できる。
【実施例２】
【００３３】
実施例１では、ＲＦ信号入力系統の切替えをＬＡＮによりリモートの監視センターでも行う構成とした。しかし、小規模なＣＡＴＶ局受信設備などでは、このようなリモートでの運用は必ずしも必要でない。このような理由で、実施例２では、図１に示したＬＡＮコネクタを除去した。
【００３４】
実施例２では、そのＣＡＴＶ局受信設備にオペレータが常時詰めていることになる。したがって、自動/手動切替スイッチ１６も除去してもよい。そのような校正では、図２で説明した処理フローも簡素化される。
【００３５】
実施例２によっても、監視効率が良く、かつ簡易な操作で良好な品質維持を実現したＣＡＴＶ局受信設備を提供できる。
【００３６】
図３は、図１に示したモニター画面の一例を説明する図である。実施例１では、リモートの監視センターにも同様のモニターが設置され、同様の画面が表示される。当該画面３０には、監視システム名３１、現用系統の表示３２、接続方法（自動/手動）の表示３３、測定チャネル名３４、自動・手動スイッチボタン３５、系統状態の表示３６、側係開始ボタン３７、測定条件表示３８、ＲＦレベル/ＭＥＲ/ＢＥＲ表示３９などが表示され、この画面とキーボード等の入力デバイスで操作を行うようになっている。
【００３７】
図４は、ＣＡＴＶ局受信設備の架台に装架する形状とした本発明の高周波入力系統切替装置の外観を説明する上面斜視図である。符号４０は筐体、４１は本体部、４２は前面パネル、４３は背面パネル、４４と４５は杷手である。なお、図１と同一符号は同一部分に対応する。
【００３８】
図５は、図４の前面パネルを正面から見た図である。また、図６は、図４の背面パネルを正面から見た図である。前面パネルには、図５に示したように、キーボードなどの外部入力デバイスの接続端子１５が設けられている。符号２０は電源スイッチを示す。
【００３９】
図６において、背面パネル４３には、自動/手動切替スイッチ１６、カラーディスプレイを好適とするモニターの接続端子１７、ＬＡＮコネクタ１８が取り付けてある。
【００４０】
本発明の高周波入力系統切替装置の筐体は図４〜図６に示した形状、配置に現地されるものではなく、ＣＡＴＶ局受信設備の架台のスペース、他の機能の筐体の配置に合わせて適宜変更可能である。
【産業上の利用可能性】
【００４１】
本発明は、ＣＡＴＶ局受信設備に限らず、信号系統の切替装置一般に適用できることは言うまでも無い。
【符号の説明】
【００４２】
１・・・主受信アンテナ
２・・・副受信アンテナ
３・・・主高周波入力端子
４・・・副高周波入力端子
５・・・分岐器
６・・・入力系統切替回路
７・・・送出端
８、９・・・終端抵抗
１０・・・主高周波入力系統
１１・・・副高周波入力系統
１２・・・分岐路
１３・・・入力信号測定回路
１３１・・・高周波レベル（ＲＦレベル）測定部
１３２・・・変調エラー比（ＭＥＲ）測定部
１３３・・・ビットエラー率（ＢＥＲ）測定部
１４・・・制御回路
１４１・・・閾値設定部
１４２・・・切替信号生成部
１４３・・・閾値入力部
１４４・・・制御部
１５・・・ＵＳＢコネクタ等の端子
１６・・・自動/手動切替スイッチ
１７・・・モニターの接続端子
１８・・・ＬＡＮコネクタ
２０・・・電源スイッチ
２１・・・主電源スイッチ
２２・・・ヒューズ
２３・・・直流電圧生成部
２４・・・出力端子。
【図１】
2011155328.tif 000003
【図２】
2011155328.tif 000004
【図３】
2011155328.tif 000005
【図４】
2011155328.tif 000006
【図５】
2011155328.tif 000007
【図６】
2011155328.tif 000008